(57)【要約】【課題】  バンカに貯留した灰を回収手段に回収する際、灰をペースト状としなくても周囲に飛散しない回収方法の提供。【構成】  バンカ１０に一時的に貯留した灰をバンカ１０の底部から延長する排出路１１を経て回収手段に排出して回収する際に、排出路１１の先端に回収手段として回収袋２０を接続すると共に、排出路１１を連通路２２で負圧路２１に連通して排出路１１と回収袋２０を負圧状態にし、その負圧状態の回収袋２０に灰を回収する。【選択図】        図１
2005035743.tif 000002
【特許請求の範囲】
【請求項１】
灰分離装置(5) で排ガスから分離した灰をバンカ(10)に一時的に貯留し、バンカ(10)の灰をその底部から延長する排出路(11)を経て回収手段に排出して回収する方法において、排出路(11)を負圧路(21)に連通して負圧状態とし、その負圧状態の排出路(11)の先端に回収手段として回収袋(20)を接続して灰を回収することを特徴とする灰の回収方法。
【請求項２】
請求項１において、前記灰分離装置(5) として吸引式のバグフィルタ(14)を用い、負圧状態となる前記バグフィルタ(14)における入口側の灰流入路(4) を前記負圧路(21)とすることを特徴とする灰の回収方法。
【請求項３】
請求項２において、前記排出路(11)と負圧路(21)を連通路(22)で接続し、その連通路(22)に流量調整手段(23)を設け、流量調整手段(23)により排出路(11)から負圧路(21)に流れる気体流量を調整することを特徴とする灰の回収方法。
【発明の詳細な説明】
【技術分野】
【０００１】
本発明は発電所やゴミ焼却場に設置されるボイラ等の排気ガスから分離された灰を回収する方法に関し、特に回収に際して灰に水を加えてペースト状にしなくても、灰が周囲に飛散しない回収方法に関する。
【背景技術】
【０００２】
発電所やゴミ焼却場に設置されるボイラの運転に際し、発生する灰の大部分はボイラ下部の灰回収部から回収されるが、微細な粒径の灰はボイラの排ガスに同伴してボイラから排出され、いわゆる飛灰となる。この飛灰は種々の成分を含み、そのまま外部に排出すると環境汚染の原因になるので、通常これら排ガス中の飛灰（以下、飛灰を単に灰という）は灰分離装置で分離して環境汚染が生じないレベルにした排ガスだけを外部に排出している。一方、灰分離装置で分離された灰はコンベアまたは空気輸送で一次貯留用のバンカ等に移送され、そこからトラック等の輸送手段で外部の処分場などに移送される。
【０００３】
図２は従来の灰の回収方法を説明するプロセスフロー図である。図示のプロセスは発電所やゴミ焼却場に併設される排ガス処理装置のプロセスの例であり、サイクロンセパレータからの灰を含む排ガスは対流伝熱部１と直列に接続した２つのガスエアヒータ（ＧＡＨ）２，３を経て灰流入路４に入り、そこから灰分離装置５（具体的には吸引式のバグフィルタ１４）の入口側に流入する。
【０００４】
ここで対流伝熱部１は排ガスの熱を水と熱交換して回収するもので、それによって温度上昇した蒸気は蒸気タービンに供給される。またガスエアヒータ２，３はブロワ６から供給される加圧空気と排ガスの熱交換を行うもので、昇温した空気はボイラの燃焼空気として供給される。
【０００５】
灰分離装置５としてのバグフィルタ１４は排ガスをブロワ７で吸引して分離する吸引式であり、灰流入路４からブロワ７により吸引された排ガスがそのフィルタ部を通過する際に含まれている灰が分離され、灰を含まない排ガスが煙突８から外部に排出される。なおブロワ７の作用により灰流入路４は常時（−）１００ｍｍＡｑ程度の負圧になる。
【０００６】
バグフィルタ１４で分離された灰はコンベアまたは空気輸送手段を設けた灰排出路９によりバンカ１０に移送されて一次的に貯留される。なお灰排出路９には他の灰、例えば他のボイラに併設された灰分離装置５ａが図示のように合流することもある。
【０００７】
バンカ１０に貯留された灰はバンカ１０の底部に設けた排出路１１から加湿混連機１２に排出され、そこで水と混連してペースト状になった灰は、特殊構造のトラックなどの輸送手段１３に積み込まれて埋立地等の処分場に移送される。ここでバンカ１０から排出する灰に水を加えてペースト状とするのは、微細な粒子からなる灰をそのままトラック等の輸送手段１３に落下して積み込む方法では灰が周囲に飛散するためである。
【発明の開示】
【発明が解決しようとする課題】
【０００８】
しかし、一般にごみ焼却場などの排ガスに含まれる灰には種々の成分が混在し、水と化学反応して有害物質を発生することがあり、アルミ成分を含む場合には水と反応して水素を発生して爆発事故を起こす危険性もある。一方、ペースト状の灰は粘着性があり流動性も悪く取扱いが厄介である。そこで本発明はバンカから排出される灰に水を加えてペースト状にしなくても、周囲に飛散することなく、且つ通常のトラックなどの輸送手段で容易に移送できる灰の回収方法を提供することを課題とする。
【課題を解決するための手段】
【０００９】
前記課題を解決する本発明は、灰分離装置で排ガスから分離した灰をバンカに一時的に貯留し、バンカの灰をその底部から延長する排出路を経て回収手段に排出して回収する方法において、排出路を負圧路に連通して負圧状態とし、その負圧状態の排出路の先端に回収手段として回収袋を接続して灰を回収することを特徴とする（請求項１）。
【００１０】
上記回収方法において、灰分離装置として吸引式のバグフィルタを用い、負圧状態となる前記バグフィルタの入口側における灰流入路を前記負圧路とすることができる（請求項２）。
【００１１】
上記いずれかの回収方法において、前記排出路と負圧路を連通路で接続し、その連通路に流量調整手段を設け、流量調整手段により排出路から負圧路に流れる気体流量を調整することができる（請求項３）。
【発明の効果】
【００１２】
以上のように本発明の灰の回収方法は、バンカの排出路を負圧路に連通して負圧状態とし、その負圧状態の排出路の先端に回収手段として回収袋を接続して灰を回収することを特徴とする。
【００１３】
上記回収方法によれば、従来のように灰に水を加えなくても灰が周囲に飛散することがない。そのため灰が水と化学反応を起こして問題になる恐れもない。また灰は密封状態で回収袋に回収されるので、その回収袋を埋め立て場などに移送するトラック等の輸送手段も特別な構造ではなく、一般的な車両を使用することが可能になる。さらに移送中およびその後の取扱い性にも優れている。
【００１４】
上記回収方法において、灰分離装置として吸引式のバグフィルタを用い、負圧状態となる前記バグフィルタにおける入口側の灰流入路を前記負圧路とすることができる。このようにすると、特別に負圧発生手段等を設ける必要がなく、排出路から灰流入路に灰が流入しても、その灰は吸引式のバグフィルタにより分離回収されるので問題とならない。
【００１５】
上記いずれかの回収方法において、前記排出路と負圧路を連通路で接続し、その連通路に流量調整手段を設け、流量調整手段により排出路から負圧路に流れる気体流量を調整することができる。このような流量調整手段により排出路から負圧路への気体流量を調整することにより、排出路および回収袋の負圧レベルの範囲を調整することができる。
【発明を実施するための最良の形態】
【００１６】
次に本発明の実施の形態を図面により説明する。図１は本発明に係る灰の回収方法を説明するプロセスフロー図である。なお図２と同じ部分には同一符号を付し、重複する説明は省略する。図１に示すプロセスによる本発明の灰の回収方法は、バンカ１０の底部から下方に延長する排出路１１の先端に回収手段として回収袋２０を接続すると共に、排出路１１を負圧路２１に連通して負圧状態にし、それによって負圧状態になっている回収袋２０に灰を回収することを特徴とし、そのほかの部分は図１の従来法と同様である。
【００１７】
上記の回収袋２０としては、微細な灰が通過しない細かい布目を有し、その開口部を密閉できる袋、例えば、市販されているフレコンパック（商品名）を使用することができる。このように排出路１１を負圧路２１に連通して負圧状態にすると回収袋２０も同様に負圧状態になり、排出路１１にバンカ１０から灰を落下して回収袋２０に供給する際に排出路１１と回収袋２０の微細な間隙から外部に灰が飛散することを有効に防止する。
【００１８】
本実施形態では排出路１１に連通する負圧路２１として吸引式のフィルタであるバグフィルタ１４の入口側に接続される灰流入路４を利用する。そして排出路１１と負圧路２１は連通路２２で接続し、その連通路２２にバタフライ弁等の流量調整手段２３を設けている。前記のように灰流入路４はバグフィルタ１４からの吸引力により常時（−）１００ｍｍＡｑ程度の負圧に維持されるので、それを負圧路２１として利用することにより、特別に負圧発生手段等を設ける必要がなくなる。
【００１９】
上記のようにバンカ１０の排出路１１から灰を落下して回収袋２０に回収する際には、排出路１１の内部に浮遊する灰の一部が気体と共に連通路２２を通って負圧路２１である灰流入路４に流入するが、その灰はバグフィルタ１４に流入して分離回収されるので問題はない。また、上記のように排出路１１と負圧路２１としての灰流入路４を連通する連通路２２に流量調整手段２３を設け、その流量調整手段２３により排出路１１から負圧路２１としての灰流入路４への気体流量を調整することにより、排出路１１および回収袋２０の負圧レベルを所定範囲に調整することができる。
【図面の簡単な説明】
【００２０】
【図１】本発明の灰の回収方法を説明するプロセスフロー図。
【図２】従来の灰の回収方法を説明するプロセスフロー図。
【符号の説明】
【００２１】
１  対流伝熱部
２，３  ガスエアヒータ
４  灰流入路
５，５ａ  灰分離装置
６，７  ブロワ
８  煙突
９  灰排出路
１０  バンカ
【００２２】
１１  排出路
１２  加湿混連機
１３  輸送手段
１４  バグフィルタ
２０  回収袋
２１  負圧路
２２  連通路
２３  流量調整手段
【図１】
2005035743.tif 000003
【図２】
2005035743.tif 000004